(57)【特許請求の範囲】
【請求項１】
ディスプレイと、
前記ディスプレイに操作画面を表示し、入力を受け付けるＧＵＩ部と、
データ記録及びデータ再生を行う記録再生部と、を備え、
前記ＧＵＩ部は、
データの作成を行うデータ作成ボタンと、前記データ作成ボタンに係るデータの再生及びデータに関する情報を表示するデータ管理ボタンと、
前記データ作成ボタンとデータ管理ボタンとを切替える切替えボタンとを表示し、
前記データ作成ボタンと、前記データ管理ボタンは、前記切替えボタンによる切替え指示入力により、いずれか一方のみが表示されるように切替え、
前記切替えボタンによる切替え指示入力により切替えられときに、同じデータに係る前記データ作成ボタンと、前記データ管理ボタンとは、前記操作画面上の同じ位置に表示することを特徴とする記録再生装置。
【請求項２】
前記同じデータに係る前記データ作成ボタンと、前記データ管理ボタンとの組が複数存在し、
前記ＧＵＩ部は、
前記切替えボタンによる切替え指示入力により、複数の前記データ作成ボタンと、複数の前記データ管理ボタンとが同時に切替わって、各々前記操作画面上の同じ又は対応する位置に表示することを特徴とする請求項１記載の記録再生装置。
【請求項３】
前記データは、静止画、動画、又は、音声に関するデータであり、
前記データ作成ボタンと、前記データ管理ボタンとの組ごとに、前記データの種別が異なり、
前記データ作成ボタンと、前記データ管理ボタンとの組ごとに、そのデータを作成するアプリケーションソフトウェア、そのデータを再生するアプリケーションソフトウェアを異ならしめることを特徴とする請求項２記載の記録再生装置。
【請求項４】
前記複数のデータ作成ボタン及び前記複数のデータ管理ボタンは、各々一列に並んでおり、前記切替えボタンは、その並び方向と直交する位置に表示されることを特徴とする請求項２記載の記録再生装置。
【請求項５】
前記切替えボタンは、一種類のボタンフェイスを有することを特徴とする請求項１記載の記録再生装置。
【請求項６】
前記切替えボタンには、前記データ作成ボタンが表示されているときと、前記データ管理ボタンが表示されているときとでは、異なったボタンフェイスを表示されることを特徴とする請求項１記載の記録再生装置。
【請求項７】
操作休止状態にかかる所定の条件を満たした場合に、前記データ管理ボタンから前記データ作成ボタンに切替えることを特徴とする請求項１記載の記録再生装置。
【請求項８】
ディスプレイと、
前記ディスプレイに操作画面を表示し、入力を受け付けるＧＵＩ部と、
データ記録及びデータ再生を行う記録再生部と、を備える記録再生装置の操作画面表示方法であって、
前記ＧＵＩ部が、
データの作成を行うデータ作成ボタンと、前記データ作成ボタンに係るデータの再生及びデータに関する情報を表示するデータ管理ボタンと、
前記データ作成ボタンとデータ管理ボタンとを切替える切替えボタンとを表示し、
前記データ作成ボタンと、前記データ管理ボタンは、前記切替えボタンによる切替え指示入力により、いずれか一方のみが表示されるように切替え、
前記切替えボタンによる切替え指示入力により切替えられときに、同じデータに係る前記データ作成ボタンと、前記データ管理ボタンとは、前記操作画面上の同じ位置に表示することを特徴とする記録再生装置の操作画面表示方法。
【発明の詳細な説明】
【技術分野】
【０００１】
本発明は、記録再生装置及びその操作画面表示方法に係り、特に、アプリケーションソフトウェアを操作ボタンにより迅速に呼出すことが可能であり、かつ、効率的な操作ボタンの配置をするのに好適な記録再生装置及びその操作画面表示方法に関する。
【背景技術】
【０００２】
情報処理装置の操作に関して、従来のコマンドインタフェースからグラフィカルなユーザインタフェースが一般的になってきている。特に、最近、爆発的に普及してきたスマートフォンは、通話機能に加えて、インターネットによるＷｅｂ閲覧、電子メール、カメラ撮影、データ編集、データ保存など様々な機能を有しており、これらの機能はタッチパネルの操作により行なわれる。
【０００３】
例えば、非特許文献１には、Ａｎｄｒｏｉｄ（登録商標）ＯＳ上で動作するホーム画面のユーザインタフェースが記載されている。また、非特許文献２には、Ａｎｄｒｏｉｄ  ＯＳ上でのアプリケーションソフトウェアの起動方法について記載されている。この非特許文献２に記載されているように、スマートフォンを操作するためには、その機能を表す表示要素（アイコン、ボタン、ウィジェットなどと呼ばれる）を操作者の指やスタイラスペンなどで指示して行うようになっている。また、非特許文献３には、スマートフォンでカメラを起動した場合の操作方法について記載されている。また、スマートフォンの操作を使い勝手のよいものにするためには、操作画面の表示方法が重要になってくる。これについては、非特許文献４には、スマートフォンのユーザインタフェースについて、操作ボタンの設計の重要性が示唆されている。
【先行技術文献】
【非特許文献】
【０００４】
【非特許文献１】田中聡、”最新スマートフォン徹底比較（2011年度冬春モデル編）：第６回 ホーム画面が使いやすいスマートフォンは？――18種類を検証 (1/3)”、[online]、平成２４年４月２０日、ITmedia、[平成２７年５月１日検索]、インターネット＜ＵＲＬ：http://www.itmedia.co.jp/mobile/articles/1204/20/news016.html＞
【非特許文献２】shima、”Android（アンドロイド）スマートフォンの使い方 初心者編：アプリ一覧画面（ドロワー画面）の見方”、[online]、平成２４年９月２３日、[平成２７年５月７日検索]、インターネット＜ＵＲＬ：http://android−smart−phone.seesaa.net/article/293822758.html＞
【非特許文献３】石川雅之、”Androidスマホでデジカメのように撮影する方法〜基礎編：カメラの設定を変えるだけでもっと上手に！〜”、[online]、平成２４年３月２日、andoroidnavi、[平成２７年５月１日検索]、インターネット＜ＵＲＬ：http://andronavi.com/2012/03/166783＞
【非特許文献４】KONOMI KAWAHARADA、”当たり前を当たり前だと思ってはいけない！スマートフォンUIデザイン”、[online]、平成２４年１２月１３日、DX.univ、[平成２７年５月１日検索]、インターネット＜ＵＲＬ：http://dx.24−7.co.jp/ui−smartphone/＞
【発明の概要】
【発明が解決しようとする課題】
【０００５】
上記従来技術に示すように、スマートフォンで基本機能又はアプリケーショを起動するとき、それに対応する表示要素、例えばカメラを起動するときには、カメラのアイコンをタップ（指で軽く触れる）することにより起動している。そして、ユーザが、カメラで撮影した画像、動画を見るには、カメラの操作プログラムを起動したその中で、その画像ファイル又は動画ファイルを選択するか、ファイル管理ソフト（ファイラなどと呼ばれる）を起動し、そのファイルをダブルタップ（二回続けて、すばやくタップ）することにより行っている。またはイルギャラリーというアプリケーションソフトウェア（以下、単に「アプリ」ともいう）では、スマートフォン上で扱うファイルを、画像、ビデオ、サウンド、文書というように分類して表示する。
【０００６】
以上のように、従来技術では、ユーザがそのスマートフォンカメラで撮影した静止画像のファイル、又は動画のファイル、あるいは録音機能で録音したサウンドのファイルをアクセスするときには、ファイラ又はファイルギャラリーなどと呼ばれるファイル管理ソフトのアプリを起動することによりなされていた。しかしながら、このようなファイル管理ソフトでは、様々なファイルを扱うために、直感的な分かり易さが犠牲にされてきていた。例えば、カメラの場合には、静止画撮影機能と、静止画像ファイル、又は動画撮影機能と動画ファイルが直感的に結びつく形でユーザに提示されるのが好ましい。したがって、ファイル情報に関するボタンとそれを作成する機能の呼出しボタンを並べて表示することが考えられる。しかしながら、スマートフォンにおいては、初期画面（ホーム画面）のスペースは、限られているため、各々のボタンを表示させるためには、一つ一つのボタンの表示領域が小さいものになり、操作しにくくなるという問題点があった。これは、緊急にカメラを操作しなければならいときには、特に問題となる。
【０００７】
また、スマートフォンで作成したファイルをアクセスするときには、そのファイルを作成する機能を呼出さなければならないようにする設計も考えられるが（例えば、画像ファイルをアクセスするときには、カメラを呼び出す）、直接、ファイルにアクセスすることができないので、ユーザにとって使い勝手の悪いものになる。
【０００８】
本発明の目的は、スマートフォンなどの記録再生装置において、アプリケーションソフトウェアを操作ボタンにより迅速に呼出すことが可能であり、かつ、効率的な操作ボタンの配置を行える記録再生装置及びその操作画面表示方法を提供することにある。
【課題を解決するための手段】
【０００９】
上記目的を達成するために、本発明の記録再生装置は、好ましくは、ディスプレイと、ディスプレイに操作画面を表示し、入力を受け付けるＧＵＩ部と、データ記録及びデータ再生を行う記録再生部と、を備えており、ＧＵＩ部は、データの作成を行うデータ作成ボタンと、データ作成ボタンに係るデータの再生及びデータに関する情報を表示するデータ管理ボタンと、データ作成ボタンとデータ管理ボタンとを切替える切替えボタンとを表示する。そして、データ作成ボタンと、データ管理ボタンは、切替えボタンによる切替え指示入力により、いずれか一方のみが表示されるように切替え、切替えボタンによる切替え指示入力により切替えられときに、同じデータに係るデータ作成ボタンと、データ管理ボタンとは、操作画面上の同じ又は対応する位置に表示するようにしたものである。
【００１０】
また、この記録再生装置の操作画面表示においては、同じデータに係るデータ作成ボタンと、データ管理ボタンとの組が複数存在し、ＧＵＩ部は、切替えボタンによる切替え指示入力により、複数のデータ作成ボタンと、複数のデータ管理ボタンとが同時に切替わって、各々操作画面上の同じ又は対応する位置に表示する。
【００１１】
ここで、データは、静止画、動画、又は、音声に関するデータであり、データ作成ボタンと、データ管理ボタンとの組ごとに、データの種別が異なり、データ作成ボタンと、データ管理ボタンとの組ごとに、そのデータを作成するアプリケーションソフトウェア、そのデータを再生するアプリケーションソフトウェアは、異なったものである。
本発明はまた、記録再生装置の操作画面表示方法としても把握される。
【発明の効果】
【００１２】
本発明によれば、スマートフォンなどの記録再生装置において、アプリケーションソフトウェアを操作ボタンにより迅速に呼出すことが可能であり、かつ、効率的な操作ボタンの配置を行える記録再生装置及びその操作画面表示方法を提供することができる。
【図面の簡単な説明】
【００１３】
【図１】警察業務管理システムのシステム構成図である。
【図２】スマートフォンのハードウェア構成図である。
【図３】スマートフォンの機能ブロック図である。
【図４】スマートフォンの外観を表す６面図である。
【図５Ａ】警察業務管理システムアプリの操作画面を説明する図である（その一）。
【図５Ｂ】警察業務管理システムアプリの操作画面を説明する図である（その二）。
【図６】ランチャエリアにおけるボタン切替えを説明する図である。
【図７Ａ】切替えボタンの態様を示す図である（その一）。
【図７Ｂ】切替えボタンの態様を示す図である（その二）。
【図７Ｃ】切替えボタンの態様を示す図である（その三）。
【発明を実施するための形態】
【００１４】
以下、本発明に係る一実施形態を、図１ないし図７Ｃを用いて説明する。  
本実施形態では、記録再生装置のユーザインタフェースを提供する操作画面表示方法について説明する。記録再生装置としてはスマートフォン（携帯情報端末機）を例示する。また、スマートフォンが動作する環境としては、警察業務管理システムで管理されている警察業務用に用いられる場合を主に想定して説明する。本実施形態では、記録再生装置として、スマートフォンを例に説明するが、本発明は、全てのグラフィカルなユーザインタフェースを有する情報処理装置に適用可能であり、警察業務管理機として、一般の携帯電話、タブレット、ＰＨＳ（Personal Handy−phone System）、ノート型ＰＣ（Personal Computer）、ディスクトップＰＣなどにも適用可能である。
【００１５】
先ず、図１ないし図３を用いて、一実施形態に係る警察業務管理システムと、それに用いられるスマートフォンの構成について説明する。図１は、警察業務管理システムのシステム構成図である。図２は、スマートフォンのハードウェア構成図である。図３は、スマートフォンの機能ブロック図である。
【００１６】
警察業務管理システム１は、管理サーバ１０、管理ＤＢ（データベース）１２、基地局４、有線ネットワーク網８０、ＧＰＳ衛星６、スマートフォン１００、ペアリングデバイス５からなる。
【００１７】
管理サーバ１０は、ログインするユーザ（警察官、警察機関職員などを想定）のログイン情報、ユーザの現在の位置情報（具体的には、ペアリングデバイス５又はスマートフォン１００の位置情報）、ユーザの職務場所、緊急情報、１１０番情報、一斉通報情報、掲示板情報などの警察業務に関る情報を管理するサーバである。管理サーバ１０が参照する警察業務に関る情報は、管理ＤＢ１２に格納される。管理端末１４は、システム管理者が、これにより管理サーバ１０の設定を行い、システムを管理する端末である。
【００１８】
基地局４は、スマートフォン１００からの電波を受けて、通話網やインターネット網に中継する設備である。基地局４と管理サーバ１０は、有線ネットワーク網８０により接続されている。
【００１９】
ＧＰＳ衛星６は、衛星測位システムの一つであるＧＰＳ（Global Positioning System）の人工衛星であり、地上にあるＧＰＳ受信機（本実施形態では、スマートフォン１００、ペアリングデバイス５）に、ＧＰＳ情報を電波信号として送信し、ＧＰＳ受信機は、その電波信号を受信して、自らの位置を求めることが可能である。
【００２０】
スマートフォン１００は、通話が可能な外、カメラによる静止画及び動画の撮影、Ｗｅｂページ閲覧、電子メール、ＧＰＳによる位置測定など可能な多機能端末である。本実施形態のスマートフォン１００は、特に、ユーザがログインするときに、職務場所を入力し、それを管理サーバ１０に送信する機能、及び、ＧＰＳで測定した位置情報、又は、後述のペアリングデバイス５から受信した位置情報を定期的に、管理サーバ１０に送信する機能を有する。また、管理サーバから受信した緊急通報に関する情報、１１０番情報、一斉通報情報、掲示板情報、ログインユーザの情報などを受信し、表示する機能を有する。
【００２１】
次に、図２を用いてスマートフォンのハードウェア構成について説明する。  
スマートフォン１は、図１に示されるように、ハードウェアとして、ＣＰＵ（Central Processing Unit）１０１、ＲＦ部１１１、ベースバンドプロセッサ１１２、無線ＬＡＮ部１０３、カメラ１０４、ディスプレイＩ／Ｆ（InterFace）１０５、ＧＰＳモジュール１０６、メインメモリ１０７、フラッシュメモリ１０８、オーディオＩ／Ｆ（InterFace）１０９が、バスで結合されて構成されている。また、ディスプレイＩ／Ｆ１０５には、ディスプレイ１２０とタッチパネル１２２が接続され、オーディオＩ／Ｆ１０９には、マイク１３０とスピーカ１４０が接続されている。
【００２２】
ＣＰＵ１０１は、スマートフォン１００の各部を制御し、メインメモリ１０７上にロードされて各種機能を実行するためのプログラムを実行する演算・制御のためのユニットである。ＣＰＵ１０１は、フラッシュメモリ１０８に格納されるプログラムをメインメモリ１０７に読み込み実行することにより、種々の処理を行う。なお、そのプログラムにより実現される機能を、専用のハードウェアにより実現してもよい。
【００２３】
ＲＦ部１１１は、ベースバンドプロセッサ１０１の信号を無線帯域の高周波信号に変換し、逆に、無線帯域の高周波信号を、ベースバンドプロセッサ１０１の信号に変換するためのインタフェース装置である。スマートフォン１００は、ＲＦ部１１１を介して、３Ｇ回線や４Ｇ回線により基地局を介して通信し、インターネットにより、サーバと通信し、必要な情報のやりとりや、データのダウンロードを行うことができる。
【００２４】
ベースバンドプロセッサ１１２は、スマートフォン１００の通信や通話に関するモジュールを制御するプロセッサである。また、ＲＦ部１１１と、ベースバンドプロセッサ１０２とにより、通信キャリアと送受信する電波の状態を測定する機能も有する。
【００２５】
無線ＬＡＮ部１０３は、無線ＬＡＮの規格（例えば、IEEE 802.11 a/b/g/n/acなど）により、近隣のアクセスポイントと通信を行う部分である。また、無線ＬＡＮ部１０３は、無線ＬＡＮの通信帯域で、アクセスポイントと送受信する電波の状態を測定する機能も有する。
【００２６】
カメラ１０４は、スマートフォン１００の周りの状況を静止画として撮影し、それを静止画像データとしてメインメモリ１０７に記憶し、動画を撮影して、動画データとして、メインメモリ１０７に記憶する。
【００２７】
ディスプレイＩ／Ｆ１０５には、ディスプレイ１１０とタッチパネル１２０を接続するインタフェースである。ディスプレイ１１０は、例えば、液晶ディスプレイや有機ＥＬ（Electro−Luminescence）ディスプレイ等のユーザに画像情報を表示する表示装置であり、３インチ〜５インチ程度の画面の表示サイズのものが一般に使用されている。タッチパネル１２０は、ユーザ５がディスプレイ１１０上を指又はタッチペンで接触することにより、データやコマンドを入力する仕組みの入力装置である。
【００２８】
ＧＰＳモジュール１０６は、ＧＰＳ衛星６からＧＰＳ情報を受信し、それを解析する装置である。
【００２９】
メインメモリ１０７は、フラッシュメモリ１０８に記憶されているプログラムをロードして一時的に保管し、ワークデータを記憶する記憶装置である。
【００３０】
フラッシュメモリ１０８は、通常は、揮発性のDRAMであるメインメモリ１０７より大容量で、プログラムやデータを格納する不揮発性のメモリである。ただし、通常のスマートフォンでは、カメラで撮影した静止画ファイル１５０、動画ファイル１５２、録音した音声ファイル１５４は、フラッシュメモリ１０８に格納されるが、本実施形態では、警察業務に用いるため、機密性を考慮して、プログラム実行中は、メインメモリ１０７に一次的に記憶されてことがあるものの、多くの場合は管理サーバ１０側にアップロードして格納し、管理ＤＢ１２に格納する形態以外は、許可されないものとする。
【００３１】
フラッシュメモリ１０８には、スマートフォン１００の各種機能を実行するＧＵＩプログラム１６０、音声入出力プログラム１６２、撮像プログラム１６４、通信プログラム１６６、記録再生プログラム１６８、位置測定プログラム１７０が格納されている。
【００３２】
オーディオＩ／Ｆ１０９は、マイク１３０やスピーカ１４０を接続するインタフェースである。マイク１３０は、外部から集音する装置である。スピーカ１４０は、音を出力する装置である。ユーザは、通話するときには、マイク１３０から音声を入力して、相手の音声は、スピーカ１４０から聴くことになる。なお、図には示さなかったが、オーディオＩ／Ｆ１０９に音声出力デバイスとして、イヤホンやヘッドフォンを接続してもよい。
【００３３】
次に、図３を用いてスマートフォン１００の機能（ソフトウェア）構成について説明する。
ＧＵＩ（Graphical User Interface）部２０２は、ＧＵＩプログラム１６０を実行し、ディスプレイ１２０に画面を表示し、タッチパネル１２２より入力を受け付ける部分である。音声入出力部２０４は、音声入出力プログラム１６２を実行し、マイク１３０より音を入力し、スピーカ１４０より音を出力する部分である。
【００３４】
撮像部２０６は、撮像プログラム１６４を実行し、カメラ１０４により、静止画や動画を撮影する部分である。
通信部２０８は、通信プログラム１６６により、無線ＬＡＮ部１０３、ＲＦ部１１１、ベースバンドプロセッサ１１２より、外部の装置、サーバと通信する部分である。
位置測定部２１０は、位置測定プログラム１７０により、ＧＰＳモジュール１０６からの情報を読取り、位置を求める部分である。
【００３５】
記録再生部２１２は、メインメモリ１０７やフラッシュメモリ１０８から情報を読み出し、書き込む部分である。
スマートフォンＯＳ２２０は、ハードウェアを制御し、ミドルウェアやアプリケーションソフトウェアを実行させる基本ソフトウェアである。スマートフォンＯＳ２２０は、ミドルウェアやアプリケーションソフトウェアからのシステムコールやサービス関数呼出しという形で機能を提供する。
【００３６】
次に、図４ないし図７Ｃを用いてスマートフォンの外観と、ユーザインタフェースについて説明する。図４は、スマートフォンの外観を表す６面図である。図５Ａ、図５Ｂは、警察業務管理システムアプリの操作画面を説明する図である。図６は、ランチャエリアにおけるボタン切替えを説明する図である。図７Ａ、図７Ｂ、図７Ｃは、切替えボタンの態様を示す図である。
【００３７】
図４に示されるスマートフォン１００は、前面に、操作画面を表示するディスプレイ１２０と、入力するためのタッチパネル１２２が配されている。また、上部にスピーカ１８３が配され、音量を出力するようになっている。下部には、マイク１８４があり、通話時に、音声を入力する。上部のセンサ１８２は、周りの明るさを読取るセンサである。
【００３８】
その後面には、カメラ１０４が配されており、撮影のレンズが向けられるようになっている。右面に配される電源ボタン１８５は、電源を入れたり、切ったり、また、操作によっては、スマートフォン１００をスリープ状態にする。ボリュームボタン１８６は、音量を調節するためのボタンである。
【００３９】
さらに、左面には、電力とデータを入力する端子としてのＵＳＢ端子１８０と、イヤホンを差し込むためのイヤホンジャック１８１が配されている。
【００４０】
次に、図５Ａ及び図５Ｂを用いて操作画面について説明する。  
警察業務管理システムは、スマートフォン（クライアント）において、警察業務管理システムアプリを呼出すことにより、利用することができる。警察業務管理システムアプリは、スマートフォンの様々な機能を利用できる統合アプリケーションソフトウェアである。
【００４１】
図５Ａに示されるように、警察業務管理システムアプリの操作画面は、ユーザステータスエリア２０、ランチャエリア３０、緊急操作エリア５０の各エリアで構成されている。
【００４２】
ユーザステータスエリア２０は、ログインしているユーザの状況を表示するエリアである。このエリアは、状況確認の頻度が高い業務にあわせて、最上部に現在のユーザのステータスを大きく表示する意義を有する。ユーザステータスエリア２０には、証明写真２１、ユーザ登録情報２２、ログイン一覧情報２３、勤務状況２４、勤務場所２５、ペアリングデバイス状況２６が表示される。証明写真２１、ユーザ登録情報２２は、ユーザ（警察官）がシステムに登録している身分証明に係る情報であり、証明写真２１は、上半身を撮像した写真画像であり、ユーザ登録情報２２には、ユーザが登録している職位、所属などの情報が表示される。また、このスマートフォンとペアリングするペアリングデバイスの番号などを表示してもよい。ログイン一覧情報２３は、現在、警察業務管理システムにログインしているユーザの一覧であり、それを参照することにより、表示されているユーザと連絡することができる。勤務状況２４は、そのユーザの現在の勤務状況であり、「警ら中」、「捜査中」などと表示される。勤務場所２５は、そのユーザの現在の勤務地であり、「ＹＹＹＹ交番」、「県警本部」などと表示される。勤務状況２４、勤務場所２５は、ログイン時に入力するようにし、ログイン中にも変更できるようにする。ペアリングデバイス状況２６は、ペアリングデバイス５の稼動状況が表示される。また、緊急事態が発生したときには、図５Ｂに示されるように、証明写真２１、ユーザ登録情報２２の領域が、緊急表示２７に切り替えられ、ユーザは、緊急時であることを知らされて、その対応をとることができるようにする。
【００４３】
ランチャエリア３０は、警察業務管理システムアプリで様々な機能を呼出すためのランチャボタンを表示するためのエリアであるランチャエリア３０には、図５Ａに示されるように、ツールボタン３１、地図ボタン３２、ブラウザボタン３３、通話ボタン３４、メールボタン３５、カメラ呼出しボタン４１、ボイスメモ呼出しボタン４２、ビデオ呼出しボタン４３、切替えボタン４４ａからなる。
【００４４】
ランチャエリア３０では、中段に上下２行にランチャボタンを配置しており、指の届き具合を考慮して相対的に操作頻度の高いものを下行若しくは左右の端に、低いものを上に分けてレイアウトする。具体的には、下行に呼出しボタン４１、ボイスメモ呼出しボタン４２、ビデオ呼出しボタン４３、切替えボタン４４ａが表示され、右端に通話ボタン３４、メールボタン３５が表示され、上段にはツールボタン３１、地図ボタン３２、ブラウザボタン３３が表示されている。また、ランチャエリア３０は、ボタン配置を左右反転することができる。
【００４５】
ツールボタン３１は、警察業務管理システムアプリに関する環境設定などのツールを呼出すためのボタンである。地図ボタン３２は、地図を適当な縮尺で表示する地図アプリを表示するためのボタンである。ブラウザボタン３３は、Ｗｅｂページを表示し、操作するためのＷｅｂブラウザを呼出すボタンである。通話ボタン３４は、スマートフォンの通話機能を呼出すためのボタンである。メールボタン３５は、Ｅｍａｉｌの編集・送受信機能を呼出すためのボタンである。
【００４６】
カメラ呼出しボタン４１、ボイスメモ呼出しボタン４２、ビデオ呼出しボタン４３は、全てある種のコンテンツを作成するためのボタンとなっている（以下、この三種のボタンをまとめて「コンテンツ作成ボタンセット」ということがある）。カメラ呼出しボタン４１は、図２のカメラ１０４により、静止画を撮影するための機能を呼出すためのボタンである。ボイスメモ呼出しボタン４２は、図１のマイク１３０により、音声をボイスメモとして録音するための機能を呼出すためのボタンである。ビデオ呼出しボタン４３は、カメラ１０４により、動画を撮影するための機能を呼出すためのボタンである。これらのボタンを押すことで、記録機能を呼び出してもよいし、すぐに記録を開始するようにしてもよい。
【００４７】
これらのコンテンツ作成ボタンセットの並びの下方、直交する位置に、切替えボタン４４ａが配されている。切替えボタン４４ａは、コンテンツ作成ボタンセットの各々のカメラ呼出しボタン４１、ボイスメモ呼出しボタン４２、ビデオ呼出しボタン４３を呼出して作成するコンテンツを再生し、それに関するファイル情報を参照するためのボタンに切り替えるためのボタンである。切替えボタン４４ａをタップすると、図５Ｂに表示されているように、カメラ呼出しボタン４１、ボイスメモ呼出しボタン４２、ビデオ呼出しボタン４３の各々の対応する位置に、静止画像表示ボタン４５、音声再生ボタン４６、動画再生ボタン４７に切り替わる（以下、この三種のボタンをまとめて「コンテンツ管理ボタンセット」ということがある）。また、切替えボタン４４ａは、表示が切替えボタン４４ｂのように変更される。静止画像表示ボタン４５をタップすると、静止画像の一覧か、又は、静止画像のファイル名一覧が表示される。音声再生ボタン４６をタップすると、音声ファイル名一覧が表示される。動画再生ボタン４７をタップすると、動画をサムネイル表示したものか、動画のファイル名一覧が表示される。逆に、切り替えボタン４４ｂをタップすると、これらのコンテンツ管理ボタンセットの対応する位置に、各々のコンテンツ作成ボタンセットが表示される。
【００４８】
このように、各々のコンテンツ（静止画、音声、動画）に対して、コンテンツ管理ボタンセットとコンテンツ作成ボタンセットが、対応する位置に表示されるので、直感的に分かりやすく、スペースの効率的利用にもなる。以下、これについては、後に詳説する。
【００４９】
通話ボタン３４と、メールボタン３５は、よく使用されるコミュニケーション系のボタンである。これらについては、操作しやすいように、ランチャエリアの端に表示されている。図５Ａ、図５Ｂの例では、右端にこれらのボタンが配置されているが、設定により、あるいは、ユーザの明示的な操作により、左端に表示できるようにしてもよい。
【００５０】
また、ランチャエリア３０の全てのボタンは、ロングタップ（長押し）又はダブルタップなどのユーザ操作、あるいは、設定により、配置を変えられるようにしてもよい。
【００５１】
緊急操作エリア５０は、緊急に操作する必要のある機能を呼び出すためのボタンを配置するためのエリアである。緊急時に使用する機能は、使用頻度は少ないが、少ないステップで操作できるようにするのがよい。そのため、画面の下端にまとめることで、通常の操作時にはじゃまにならず、しかも、緊急時にはすぐに操作できるようにしている。緊急操作エリア５０には、緊急通報ボタン５１、１１０番ボタン５２、文字通報ボタン５３、掲示板５４が配されている。
【００５２】
緊急通報ボタン５１は、緊急通報の内容を表示するためのボタンである。１１０番ボタン５２は、１１０番（日本において警察機関に提供される緊急通報用電話番号）の電話情報を表示するためのボタンである。文字通報ボタン５３は、文字による一斉通報（例えば、「ＸＸＸ方面、犯人ＡＡＡが逃走中、警戒を要す」など）を表示するためのボタンである。掲示板５４は、警察機関で共有されている電子掲示板に書き込み、その内容を参照するための機能を呼出すためのボタンである。
【００５３】
次に、上記の図５Ａ、図５Ｂと、さらに、図６及び図７Ａ、図７Ｂ、図７Ｃを用いてコンテンツを作成し、それを再生し、それに関する情報を表示するためのユーザインタフェースについてより詳細に説明する。
【００５４】
タッチ操作式のスマートフォンでは「機能」を呼び出すためのボタンを画面上に表示する必要があるが、そのような「機能」が増えるとそれに合わせてボタンの数も増え、小さな画面のスマートフォンでは、ページを切り替えるなどの操作の手間が必要になり、また「機能」同士の関係を理解することが難しくなってきていた。
【００５５】
そこで、本実施形態では、コンテンツ作成を作成するためのボタン（コンテンツ作成ボタンセット：カメラ呼出しボタン４１、ボイスメモ呼出しボタン４２、ビデオ呼出しボタン４３、図５Ａ）と、それらの各々の対応するコンテンツを再生し、そのファイル情報を表示するためのボタン（コンテンツ管理ボタンセット：静止画像表示ボタン４５、音声再生ボタン４６、動画再生ボタン４７、図５Ｂ）とを用意しておき、それらは、一時期には、一つのボタンセットのみ表示して、切り替えボタン４４ａ、４４ｂにより、各々のボタンセットの表示を切り替えれるようにした。各々のボタンの配置は、同じコンテンツにかかわるボタンが同じまたは対応する位置に表示されるようにした（カメラ呼出しボタン４１←→静止画像表示ボタン４５、ボイスメモ呼出しボタン４２←→音声再生ボタン４６、ビデオ呼出しボタン４３←→動画再生ボタン４７、図６）。これにより、静止画にかかるボタン、音声にかかるボタン、動画にかかるボタンの位置関係が維持される。
【００５６】
これにより、ボタン表示が占有する面積を小さくできるので、小さな画面のスマートフォンであっても、一覧できる範囲にボタンを配置することがしやすくなり、「機能」の探しやすさが向上する。そして、「機能」のボタン表示が占有する面積を小さくできるので、小さな画面のスマートフォンであっても、情報表示や作業のための領域を広く取れ、使い勝手が向上する。また、コンテンツを作成する「機能」と、そのコンテンツを管理する「機能」が対で示されるので、対応が分かりやすく、ユーザがボタンの位置を記憶して直観的な操作をしやすくなるというメリットがある。
【００５７】
特に、ボタンの表示領域を大きく取れることは、緊急時にもすばやく呼出せることを意味する。警察業務の一環として、緊急時に、手持ちのスマートフォンによりカメラによる撮影をしなければならなくなるかも知れない。その場合に、ボタンの表示領域を大きく取れることは、緊急時にもすばやく呼出せる意義は大きなものになる。
【００５８】
図５Ａ、図５Ｂに示した例では、図７Ａに示されるように、「ギャラリーをみる」というボタンフェイスを持つ切替えボタン４４ａと、「コンテンツをとる」というボタンフェイスを持つ切替えボタン４４ｂがモードにより、切り替わる例を説明した。これは、図７Ｂに示されるように、モードにかかわらず「切替え」という一種類のボタンフェイスを持つようにしてもよい。
【００５９】
また、図７Ｃに示されるように、切替えボタン４４ｄのように、選択するための誘導するボタンフェイスの色や輝度を変えて表示するようにしてもよい。
【００６０】
また、図面ではコンテンツ作成ボタンとコンテンツ管理ボタンの各ボタンは同じ大きさであり、ボタン上の画像でどちらになっているか判断するようになっているが、ボタン色や形状、ボタン間の隙間の有無などが切り替わるようにし、コンテンツ管理ボタンセットの状態を認識しやすくしてもよい。
【００６１】
以上の実施形態では、コンテンツ作成ボタンは、静止画、動画、音声ごとに一種類であったが、一つのコンテンツの種類に対して、設定を変えた状態でアプリが起動されるように、複数のボタンを有するようにしてもよい。例えば、静止画像を撮影する場合には、カメラ呼出しボタン４１は、一種類であったが、これを設定ごとに細かく呼出せるようにしてもよい。例えば、「犯人撮影用ボタン」、「交通事故現場撮影用ボタン」、「物証撮影用ボタン」などのように、それを呼び出すことにより、最適な設定のカメラの機能を使用できるようにする。これにより、特に、緊急時などに迅速にカメラ撮影ができる体制がとれることが期待される。
【００６２】
また、スマートフォンの電源を立ち上げたときや、操作休止状態にかかる所定の条件を満たした場合（所定時間の操作無しや、スリープにした場合など）には、直前の状態でコンテンツ管理ボタンが表示されている場合でも、コンテンツ管理ボタンセットをコンテンツ記録ボタンに切り替えておくことが望ましい。操作休止状態から記録を行う必要が急に生じた場合に、コンテンツ管理ボタンセットの状態確認及び切替が不要となり、記録開始までの操作が短くなるからである。
【符号の説明】
【００６３】
１…警察業務管理システム、１０…管理サーバ、１２…管理ＤＢ（データベース）、１４…管理端末、４…基地局、５…ペアリングデバイス、６…ＧＰＳ衛星、８０…有線ネットワーク網、１００…スマートフォン、
１０１…ＣＰＵ（Central Processor Unit）、１１１…ＲＦ部、１１２…ベースバンドプロセッサ、１０３…無線ＬＡＮ部、１０４…カメラ、１０５…ディスプレイＩ／Ｆ（InterFace）、１０６…ＧＰＳモジュール、１０７…メインメモリ、１０８…フラッシュメモリ、１０９…オーディオＩ／Ｆ（InterFace）、１２０…ディスプレイ、１２２…タッチパネル、１３０…マイク、１４０…スピーカ。
【図１】
0006696741.tif 000002
【図２】
0006696741.tif 000003
【図３】
0006696741.tif 000004
【図４】
0006696741.tif 000005
【図５Ａ】
0006696741.tif 000006
【図５Ｂ】
0006696741.tif 000007
【図６】
0006696741.tif 000008
【図７Ａ】
0006696741.tif 000009
【図７Ｂ】
0006696741.tif 000010
【図７Ｃ】
0006696741.tif 000011